(57)【要約】【課題】人体に悪影響を及ぼすことなくマウスを操作しながらマウスパッドからマウスに非接触で電力を供給する。【解決手段】上方に向かって電力を送電する伝送コイル２１を具備するマウスパッド１と、マウスパッド１から送電された電力を受電する伝送コイル６１を具備し、伝送コイル６１にて受電された電力によって動作するマウス２とを有し、マウス２は、マウス本体部５１と、マウス本体部５１から突出した突出部５２とからなり、伝送コイル６１が突出部５２に配置され、伝送コイル２１は、マウスパッド１の一部の領域に配置され、マウスパッド１及びマウス２は、マウス２をマウスパッド１上にて移動させた場合に互いに当接することにより、伝送コイル２１がマウス本体部５１に対向しないようにマウス２のマウスパッド１上での移動領域を規制する突起部４４ａ，５４を有する。【選択図】図３
2010211471.tif 000002
【特許請求の範囲】
【請求項１】
上方に向かって電力を送電する送電手段を具備するマウスパッドと、該マウスパッドから送電された電力を受電する受電手段を具備し、該受電手段にて受電された電力によって動作するマウスとを有してなる座標入力装置において、
前記マウスは、マウス本体部と、該マウス本体部から突出した突出部とからなり、前記受電手段が前記突出部に配置され、
前記送電手段は、前記マウスパッドの一部の領域に配置され、
前記マウス及びマウスパッドは、前記マウスを前記マウスパッド上にて移動させた場合に互いに当接することにより、前記送電手段が前記マウス本体部に対向しないように前記マウスの前記マウスパッド上での移動領域を規制する規制手段を有することを特徴とする座標入力装置。
【請求項２】
請求項１に記載の座標入力装置において、
前記マウスパッドは、前記マウスの移動面を介して光を受光することにより発電する太陽電池部を有し、
前記送電手段は、前記太陽電池部にて発電した電力を送電する座標入力装置。
【発明の詳細な説明】
【技術分野】
【０００１】
本発明は、マウスとマウスパッドとからなる座標入力装置に関し、特に、マウスパッドから電力を送電し、マウスがこの電力を受電して動作する座標入力装置に関する。
【背景技術】
【０００２】
昨今、情報化社会の進展に伴って、情報を電子データとして取り扱うことが多くなってきている。このように情報を電子データとして取り扱うことにより、情報の検索や更新等を容易に行うことができるようになる。情報を電子データとして取り扱うためには、コンピュータを用いることになるが、近年では、そのようなコンピュータは、企業や団体のみならず、一般家庭にも普及している。
【０００３】
コンピュータを操作するためには、情報を入力するためのキーボードの他に、マウスが利用されており、マウスの利用によってコンピュータに対する操作性が著しく向上している。このようなマウスは、マウスパッドと組となって座標入力装置を構成し、マウスパッド上にて前後左右に移動させることにより、座標を入力、特定するものであり、キーボードやコンピュータ本体に接続されることにより電源が供給されている。近年では、マウスの操作性を向上させるためにワイヤレスマウスも実用されており、例えば、電池を収容可能に構成され、収容された電池によって電源が供給されるものや、二次電池が内蔵されてこの二次電池に充電して利用するものがある。
【０００４】
二次電池が内蔵されたものとして、外部電源に接続されたマウスパッドを用い、マウスパッドからマウスの操作面に電力を送電することにより、非接触でマウスに電力を供給するものがある（例えば、特許文献１参照。）。このような構成とすることにより、ワイヤレスマウスを使用しながら充電することができるようになる。
【先行技術文献】
【特許文献】
【０００５】
【特許文献１】特開平１１−９５９２２号公報
【発明の概要】
【発明が解決しようとする課題】
【０００６】
しかしながら、上述したように、マウスパッドからマウスの操作面に電力を送電することにより、非接触でマウスに電力を供給するものにおいては、マウスを操作しながらマウスパッドからマウスに電力を送電する場合、マウスパッドから電力が送電される領域にはマウスを操作する手が存在するため、送電される電力によって人体に悪影響が及んでしまうという問題点がある。
【０００７】
本発明は、上述したような従来の技術が有する問題点に鑑みてなされたものであって、人体に悪影響を及ぼすことなくマウスを操作しながらマウスパッドからマウスに非接触で電力を供給することができる座標入力装置を提供することを目的とする。
【課題を解決するための手段】
【０００８】
上記目的を達成するために本発明は、
上方に向かって電力を送電する送電手段を具備するマウスパッドと、該マウスパッドから送電された電力を受電する受電手段を具備し、該受電手段にて受電された電力によって動作するマウスとを有してなる座標入力装置において、
前記マウスは、マウス本体部と、該マウス本体部から突出した突出部とからなり、前記受電手段が前記突出部に配置され、
前記送電手段は、前記マウスパッドの一部の領域に配置され、
前記マウス及びマウスパッドは、前記マウスを前記マウスパッド上にて移動させた場合に互いに当接することにより、前記送電手段が前記マウス本体部に対向しないように前記マウスの前記マウスパッド上での移動領域を規制する規制手段を有することを特徴とする。
【０００９】
上記のように構成された本発明においては、マウスをマウスパッド上を移動させて操作している際に、マウスパッドが具備する送電手段から上方に向かって電力が送電され、この送電された電力が、マウスが具備する受電手段にて受電され、この受電された電力によってマウスが動作することになるが、マウスが、マウス本体部とマウス本体部から突出した突出部とからなり、受電手段が突出部に配置され、送電手段がマウスパッドの一部の領域に配置され、マウス及びマウスパッドには、マウスをマウスパッド上にて移動させた場合に互いに当接することにより、送電手段がマウス本体部に対向しないようにマウスのマウスパッド上での移動領域を規制する規制手段が設けられているので、マウス本体部に手を置いてマウスを操作している場合においても、送電手段から電力が送電される領域には手が存在しないこととなり、それにより、送電手段から送電された電力によって人体に悪影響が及ぶことはない。
【００１０】
また、マウスパッドが、マウスの移動面を介して光を受光することにより発電する太陽電池部を有し、送電手段が、太陽電池部にて発電した電力を送電するように構成すれば、マウスパッドを外部電源に接続することなく電力を得ることができる。
【発明の効果】
【００１１】
以上説明したように本発明においては、上方に向かって電力を送電する送電手段を具備するマウスパッドと、マウスパッドから送電された電力を受電する受電手段を具備し、受電手段にて受電された電力によって動作するマウスとを有してなる座標入力装置において、マウスがマウス本体部とマウス本体部から突出した突出部とからなり、受電手段が突出部に配置され、送電手段がマウスパッドの一部の領域に配置され、マウス及びマウスパッドが、マウスをマウスパッド上にて移動させた場合に互いに当接することにより、送電手段がマウス本体部に対向しないようにマウスのマウスパッド上での移動領域を規制する規制手段を有する構成としたため、マウス本体部に手を置いてマウスを操作している場合においても、送電手段から電力が送電される領域には手が存在しないこととなり、それにより、人体に悪影響を及ぼすことなくマウスを操作しながらマウスパッドからマウスに非接触で電力を供給することができる。
【００１２】
また、マウスパッドが、マウスの移動面を介して光を受光することにより発電する太陽電池部を有し、送電手段が、太陽電池部にて発電した電力を送電する構成としたものにおいては、マウスパッドを外部電源に接続することなく電力を得ることができ、それにより、マウスを用いた作業領域の制約を緩くすることができる。
【図面の簡単な説明】
【００１３】
【図１】図１は、本発明の座標入力装置の実施の一形態を構成するマウスパッドの構成を示す図であり、（ａ）は表面図、（ｂ）は（ａ）に示したＡ−Ａ’断面図、（ｃ）は内部構造を示す図である。
【図２】図１に示したマウスパッドとともに本発明の座標入力装置の実施の一形態を構成するマウスの構成を示す図であり、（ａ）は上面図、（ｂ）は側面図、（ｃ）は内部構造を示す図である。
【図３】図１に示したマウスパッド上にてマウスを操作する際の作用を説明するための図である。
【発明を実施するための形態】
【００１４】
以下に、本発明の実施の形態について図面を参照して説明する。
【００１５】
図１は、本発明の座標入力装置の実施の一形態を構成するマウスパッドの構成を示す図であり、（ａ）は表面図、（ｂ）は（ａ）に示したＡ−Ａ’断面図、（ｃ）は内部構造を示す図である。
【００１６】
本形態におけるマウスパッドは図１に示すように、２枚の保護シート４０ａ，４０ｂ間に、太陽電池部１０、送電部２０及び二次電池３１が埋め込まれたスポンジ４３が挟み込まれて構成されている。
【００１７】
送電部２０は、送電回路２２と送電手段である複数の伝送コイル２１とから構成されており、送電回路２２は、二次電池３１に蓄電された電力を複数の伝送コイル２１に供給する。また、複数の伝送コイル２１は、送電回路２２から供給された電力を送電するものであって、マウスパッド１の一部の領域にてマウスパッド１の端辺に沿って一列に並んで配置されている。
【００１８】
太陽電池部１０は、フィルムシート（不図示）上に、例えば、白金からなる電極間に、色素がついた酸化チタンを含有するヨウ素溶液が配されて構成され、複数のセルに分割された状態で、送電部２０及び二次電池３１が埋め込まれた領域とは異なる領域にてスポンジ４３に埋め込まれている。そして、太陽光等の光を受光することにより発電する。
【００１９】
二次電池３１は、太陽電池部１０にて発電した電力を蓄電するものである。
【００２０】
２枚の保護シート４０ａ，４０ｂのうち、マウスが操作のために移動する移動面側の保護シート４０ａは、太陽電池部１０に対向する領域のみが透明な材料からなる透明部４１となっており、その他の領域は着色印刷が施された着色部４２となっている。また、複数の伝送コイル２１に対向する領域においては、複数の伝送コイル２１が並ぶ列の両側部に沿って２つの突起部４４ａ，４４ｂが互いに並行して設けられており、このうち、マウスパッド１の端辺に沿うように設けられた突起部４４ａが本発明における規制手段となる。
【００２１】
スポンジ４３は、太陽電池部１０、送電部２０及び二次電池３１を埋め込むための孔部を有し、この孔部に、太陽電池部１０、送電部２０及び二次電池３１が、これら太陽電池部１０、送電部２０及び二次電池３１のうち太陽電池部１０及び伝送コイル２１が保護シート４０ａ側に表出するように埋め込まれている。
【００２２】
図２は、図１に示したマウスパッド１とともに本発明の座標入力装置の実施の一形態を構成するマウスの構成を示す図であり、（ａ）は上面図、（ｂ）は側面図、（ｃ）は内部構造を示す図である。
【００２３】
本形態におけるマウスは図２に示すように、マウス本体部５１と、マウス本体部５１から突出した突出部５２とから構成されている。
【００２４】
マウス本体部５１は、その上面に、コンピュータ上における情報を指定する際に押下するための２つのボタン５３ａ，５３ｂが設けられており、その下面には、コンピュータ上における座標を指定するためのトラックボール７０が回転可能に取り付けられている。また、その前面には、ボタン５３ａ，５３ｂの押下情報とトラックボール７０の回転情報とをコンピュータに無線送信する無線データ送信部８２が設けられている。
【００２５】
突出部５２は、図１に示したマウスパッド１における２つの突起部４４ａ，４４ｂの間隔と同等の長さを有するとともに、その下面の高さが、マウス本体部５１の下面に対して高くなっており、その先端部には、下側に突出した規制手段となる突起部５４が設けられている。なお、突出部５２の下面の高さは、図１に示したマウスパッド１の突起部４４ｂの高さよりも高くなっている。また、突起部５４の高さは、マウス２が図１に示したマウスパッド１上を移動した際に、突起部５４がマウスパッド１の突起部４４ａ，４４ｂの側部に当接するだけの高さとなっている。また、突出部５２の下面には、図１に示したマウスパッド１から送電された電力を受電するための受電手段となる伝送コイル６１が設けられている。
【００２６】
また、マウス本体部５１には、伝送コイル６１にて受電された電力が蓄電される二次電池８１と、伝送コイル６１にて受電された電力を二次電池８１に蓄電するための受電回路６２と、ボタン５３ａ，５３ｂの押下を検出する押下検出部５５と、トラックボール７０の回転を検出する回転検出部７１とが設けられており、無線データ送信部８２は、押下検出部５５にて検出された押下情報と、回転検出部７１にて検出された回転情報とを、コンピュータに無線送信する。なお、伝送コイル６１と受電回路６２とから受電部６０が構成される。
【００２７】
上記のように構成されたマウス２においては、二次電池８１に蓄電された電力によって動作する。マウス２をマウスパッド１上にて前後左右に移動させると、その移動に伴ってトラックボール７０が回転する。トラックボール７０の回転は、回線検出部７１にて検出され、無線データ送信部８２を介してその回転情報がコンピュータに送信され、コンピュータに座標が入力される。また、ボタン５３ａ，５３ｂが押下されると、そのボタン５３ａ，５３ｂの押下は、押下検出部５１にて検出され、無線データ送信部８２を介してその押下情報がコンピュータに送信され、コンピュータ上の情報が指定される。
【００２８】
以下に、上記のように構成されたマウスパッド１とマウス２とからなる座標入力装置の動作について説明する。
【００２９】
図３は、図１に示したマウスパッド１上にてマウス２を操作する際の作用を説明するための図である。
【００３０】
図１に示したマウスパッド１は、図３（ａ）に示すように、保護シート４０ａが上面となるように机上等に載置されることにより、保護シート４０ａ側がマウス２が移動する移動面となる。
【００３１】
図１に示したマウスパッド１が、保護シート４０ａが上面となるように机上等に載置されると、スポンジ４３に埋め込まれた太陽電池部１０が保護シート４０ａ側にて表出しているとともに、保護シート４０ａのうち、太陽電池部１０に対向する領域が透明部４１となっているため、太陽光等の光が照射されると、この光がマウス２の移動面となる保護シート４０ａの透明部４１を介して太陽電池部１０にて受光される。
【００３２】
太陽電池部１０においては、保護シート４０ａの透明部４１を介して光を受光すると、受光した光によって発電し、その発電による電力が二次電池３１に供給される。そして、二次電池３１に供給された電力が二次電池３１にて蓄電される。これにより、マウスパッド１が、保護シート４０ａが上面となるように机上等に載置されるだけで、二次電池３１に対する蓄電が行われることになる。
【００３３】
二次電池３１に蓄電された電力は、送電回路２２を介して伝送コイル２１に供給され、伝送コイル２１に供給された電力に応じた電流が伝送コイル２１に流れる。すると、伝送コイル２１のコア部分から放出される方向、すなわち、マウス２の移動面に向かう方向とその反対に向かう方向とに磁界が発生する。
【００３４】
この状態において、図２に示したマウス２を、図３（ａ）に示すように、突出部５２の突起部５４がマウスパッド１の２つの突起部４４ａ，４４ｂ間に位置するようにマウスパッド１上に載置し、マウスパッド１上を移動させることにより操作する。
【００３５】
上記のように磁界が発生する伝送コイル２１は、２つの突起部４４ａ，４４ｂ間に配置されているため、伝送コイル６１が設けられた突出部５２が２つの突起部４４ａ，４４ｂ間に位置し、マウス２の突出部５２が伝送コイル２１に対向すると、伝送コイル２１を流れる電流によって発生した磁界が、マウス２の伝送コイル６１のコア部分を貫通し、それにより、マウス２の伝送コイル６１にも電流が流れる。これにより、マウスパッド１の伝送コイル２１によって、二次電池３１に蓄電された電力が、マウスパッド１の上面、すなわち、マウス２の移動面に向かう方向に送電され、送電された電力がマウス２の伝送コイル６１に非接触で受電されることになる。
【００３６】
なおこの際、マウスパッド１が載置される机等が金属からなるものであったり、マウスパッド１とこのマウスパッド１が載置される机等との間に金属が介在したりする場合、上述したように磁界が生じることが妨げられてしまう。そこで、マウスパッド１の伝送コイル２１の保護シート４０ｂ側に磁性体シートを挿入することも考えられる。
【００３７】
マウス２の伝送コイル６１を流れる電流によって生じた電力は、受電回路６２を介して二次電池８１に供給され、二次電池８１が蓄電される。そして、二次電池８１に蓄電された電力が、押下検出部５１、回転検出部７１及び無線データ送信部８２にそれぞれ供給され、マウス２が動作することになる。
【００３８】
ここで、マウスパッド１に設けられた突起部４４ａ，４４ｂ及びマウス２の突出部５２に設けられた突起部５４による作用について説明する。
【００３９】
図２に示したマウス２を、突出部５２の突起部５４がマウスパッド１の２つの突起部４４ａ，４４ｂ間に位置するようにマウスパッド１上に載置すると、マウス２の突起部５４がマウスパッド１の突起部４４ａ，４４ｂの側部に当接するだけの高さを有するものであるため、マウス２を移動させた場合、突起部５４が、マウスパッド１の突起部４４ａ，４４ｂの側部に当接することによりその移動領域が規制される。
【００４０】
具体的には、マウスパッド１上にてマウス２を図３（ａ）中矢印Ａ方向に移動させていくと、図３（ｂ）に示すように、マウス２の突起部５４がマウスパッド５４の突起部４４ａの側部に当接し、マウス２は図３（ａ）中矢印Ａ方向へはそれ以上移動できなくなる。この状態では、マウスパッド１の伝送コイル２１とマウス２の伝送コイル６１とが対向することになるが、マウス２の突出部５２の長さがマウスパッド１における２つの突起部４４ａ，４４ｂの間隔と同等の長さであるため、２つの突起部４４ａ，４４ｂ間に配置された伝送コイル２１がマウス本体部５１に対向することがない。そのため、マウス本体部５１に手３を置いてマウス２を操作している場合においても、伝送コイル２１から電力が送電される領域には手３が存在しないこととなり、それにより、伝送コイル２１から送電された電力によって人体に悪影響が及ぶことはない。
【００４１】
また、マウスパッド１上にてマウス２を図３（ａ）中矢印Ｂ方向に移動させていくと、図３（ｃ）に示すように、マウス２の突起部５４がマウスパッド５４の突起部４４ｂの側部に当接し、マウス２は図３（ａ）中矢印Ｂ方向へはそれ以上移動できなくなる。この状態では、マウスパッド１の伝送コイル２１とマウス２の伝送コイル６１とが対向せず、かつ、２つの突起部４４ａ，４４ｂ間に配置された伝送コイル２１がマウス本体部５１に対向することがない。そのため、マウス本体部５１に手３を置いてマウス２を操作している場合においても、伝送コイル２１から電力が送電される領域には手３が存在しないこととなり、それにより、伝送コイル２１から送電された電力によって人体に悪影響が及ぶことはない。
【００４２】
このように、本形態においては、マウスパッド１から送電された電力を受電するための伝送コイル６１が、マウス本体部５１から突出した突出部５２に設けられており、この突出部５２に設けられた突起部５４と、マウスパッド１の電力を送電するための伝送コイル２１が配置された領域に設けられた突起部４４ａとによって、マウス２のマウスパッド上での移動領域が、伝送コイル２１がマウス本体部５１に対向しないように規制されるので、マウス本体部５１に手３を置いてマウス２を操作している場合においても、伝送コイル２１から電力が送電される領域には手３が存在しないこととなり、それにより、人体に悪影響を及ぼすことなくマウス２を操作しながらマウスパッド１からマウス２に非接触で電力を供給することができる。
【００４３】
なお、本形態においては、太陽電池部１０を有し、この太陽電池部１０にて電力を発生させるマウスパッド１を例に挙げて説明したが、本発明を構成するマウスパッドは、太陽電池部１０にて電力を発生させるものに限らず、商用電源等の外部電源に接続され、この外部電源から供給される電力を送電するものであってもよい。ただし、太陽電池部１０にて電力を発生させるものにおいては、マウスパッド１を商用電源等の外部電源に接続することなく電力を得ることができ、それにより、マウス２を用いた作業領域の制約を緩くすることができる。
【００４４】
また、本形態においては、マウスパッド１における２つの突起部４４ａ，４４ｂの間隔と同等の長さの突出部５２を有するマウス２を例に挙げて説明したが、突出部５２の長さがマウスパッド１における２つの突起部４４ａ，４４ｂの間隔以上であれば、上述したように、マウス２のマウスパッド１上での移動領域を、伝送コイル２１がマウス本体部５１に対向しないように規制することができる。
【００４５】
また、本形態においては、マウスパッド１に、マウス２のマウスパッド１上での移動領域を、伝送コイル２１がマウス本体部５１に対向しないように規制するための突起部４４ａの他に、この突起部４４ａに並行した突起部４４ｂが設けられているが、この突起部４４ｂは、マウスパッド１に設けられた伝送コイル２１と、マウス２に設けられた伝送コイル６１との距離を必要以上に遠ざけないためのものであって、マウス２のマウスパッド１上での移動領域を、伝送コイル２１がマウス本体部５１に対向しないように規制するためだけの目的においては必ずしも必要なものではない。
【００４６】
また、本発明の座標入力装置を構成するマウスとしては、図２に示したような構成を有するものに限らず、その他に例えば、コンピュータ上の座標を特定するものとして、トラックボール７０の回転を検出するものではなく、光学的にその座標を特定するもの等、マウスパッド１から送電された電力を受電可能なものであれば様々なものを使用することができる。
【符号の説明】
【００４７】
１    マウスパッド
２    マウス
３    手
１０    太陽電池部
２０    送電部
２１，６１    伝送コイル
２２    送電回路
３１，８１    二次電池
４０ａ，４０ｂ    保護シート
４１    透明部
４２    着色部
４３    スポンジ
４４ａ，４４ｂ，５４    突起部
５１    マウス本体部
５２    突出部
５３ａ，５３ｂ    ボタン
５５    押下検出部
６０    受電部
６２    受電回路
７０    トラックボール
７１    回転検出部
【図１】
2010211471.tif 000003
【図２】
2010211471.tif 000004
【図３】
2010211471.tif 000005